【手続補正書】
【提出日】令和3年6月29日(2021.6.29)
【手続補正１】
【補正対象書類名】特許請求の範囲
【補正対象項目名】全文
【補正方法】変更
【補正の内容】
【特許請求の範囲】
【請求項１】
バッテリ式産業用フォークリフトトラックにおいて従来の鉛酸電池の交換品として又はその代替として使用するための再充電可能電池システムであって、前記バッテリ式産業用フォークリフトトラックに電力供給するように適応された再充電可能電池システムであり、
ａ）複数の電池モジュールであって、前記複数の電池モジュールの各電池モジュールが、正極端子、負極端子及び複数のリチウムイオン電池セルを含み、前記複数のリチウムイオン電池セルが、前記複数の電池モジュールの１つ１つの前記正極端子と前記負極端子との間の結合電位を提供するために、前記複数の電池モジュールの１つ１つの中で電気的に結合される、複数の電池モジュールと、
ｂ）複数の電池モジュールベイを有する筐体であって、前記電池モジュールベイの各々が、前記複数の電池モジュールのいずれか１つを受け入れるように構成された、筐体であり、前記バッテリ式産業用フォークリフトトラックの電池収納部内に動作可能に嵌入するようにサイズ指定及び適応された筐体であり、前記複数の電池モジュールベイの各々が、前記複数の電池モジュールのいずれか１つを受け入れる際に、前記複数の電池モジュールの前記いずれか１つの前記正極端子及び前記負極端子に接続部を嵌合させるための１対の電力接続部を含む、筐体と、
ｃ）導体及び外部電力端子をさらに含む前記筐体であって、前記外部電力端子が、前記バッテリ式産業用フォークリフトトラックの電力回路に動作可能に接続するように配向及び適応され、前記導体が、前記複数の電池モジュールベイの前記１対の電力接続部からの電力を前記外部電力端子に接続するためのレイアウトを有する、前記筐体と、
ｄ）前記再充電可能電池システムをモニタするため及び動作電力が前記導体を通じて前記外部電力端子に誘導されるように電力スイッチを制御するためのプロセッサであって、前記動作電力を前記外部電力端子に誘導するように適応されるプロセッサと、
ｅ）複数のバスバーのうちの少なくとも１つのバスバーを接続又は切断するために電池監視システム（ＢＳＳ）に許可を与えるように適応された電池オペレーティングシステムスーパーバイザ（ＢＯＳＳ）モジュールであって、前記ＢＯＳＳモジュールは、絶縁ワイヤハーネスを介してコントローラエリアネットワーク（ＣＡＮ）を使用して前記ＢＳＳと通信するようにさらに適応され、前記複数のバスバーは、第１電圧の少なくとも１つのバスバーと、第２電圧の少なくとも１つのバスバーと、を含む、電池オペレーティングシステムスーパーバイザ（ＢＯＳＳ）モジュールと、を備える再充電可能電池システム。
【請求項２】
前記筐体が、クラスＩフォークリフトの電池収納部内に動作可能に嵌入するようにサイズ指定及び適応され、前記電池モジュールの各々が、５１ポンド以下の重量を有する、請求項１に記載の再充電可能電池システム。
【請求項３】
前記システムが、前記ＢＳＳを含む電池管理システムをさらに備え、前記ＢＳＳは、前記ＢＯＳＳから許可を与えられた場合に複数のバスバーのうちの少なくとも１つのバスバーを接続又は切断するように構成され、前記ＢＳＳはさらに、
ａ）前記電池ジュールの動作態様をモニタし、
ｂ）セル電圧、電流、放電深度及び温度を含む前記電池モジュールのリアルタイム動作情報を取得し、
ｃ）前記動作情報を既定の基準値のセットと比較して、前記電池モジュールに動作異常があるかどうかを決定し、前記電池モジュールの動作中に１以上の異常が発生した場合、前記ＢＳＳは、前記ＢＯＳＳモジュールからの通信に少なくとも部分的に基づいて、前記少なくとも１つのバスバーから前記電池モジュールを電子的に切断するようにさらに適応されており、前記電子的な切断は、前記電池モジュールに関連付けられた金属酸化物半導体電界効果トランジスタ（ＭＯＳＦＥＴ）によって動作可能に実行されるようにさらに適応される、請求項１に記載の再充電可能電池システム。
【請求項４】
前記リチウムイオン電池セルの各々が、前記リチウムイオン電池セルの上側のプリント基板（ＰＣＢ）にワイヤ接合を介して相互接続される、請求項１に記載の再充電可能電池システム。
【請求項５】
前記筐体が、複数の電池モジュールベイを備え、前記複数の電池モジュールベイのうちの前記電池モジュールベイは、その中に１つの電池モジュールを受け入れるように構成される、請求項１に記載の再充電可能電池システム。
【請求項６】
熱伝導性ギャップ充填材が、前記リチウムイオン電池セルの下面と熱的に接触し、前記熱伝導性ギャップ充填材が、非導電性である、請求項１に記載の再充電可能電池システム。
【請求項７】
前記前記電池セルの各々のための前記ワイヤ接合が、前記電池セルの前記正極端子に接続されたワイヤ接合部と、前記電池セルの上面の縁に接続された１つ又は複数のワイヤ接合部とを含み、前記縁が、前記セルの前記負極端子と電気的に一体化される、請求項４に記載の再充電可能電池システム。
【請求項８】
前記電池モジュールベイの各々が、前記１つの電池モジュールが垂直配向で前記電池モジュールベイ内に受け入れられるようにさらに構成される、請求項５に記載の再充電可能電池システム。
【請求項９】
前記電池モジュールベイの各々が、前記１つの電池モジュールが水平配向で前記電池モジュールベイ内に受け入れられるようにさらに構成される、請求項５に記載の再充電可能電池システム。
【請求項１０】
各電池モジュールベイが、前記筐体の２つの横方向仕切り及び外側のドアによって定義され、前記ドアが、前記ドアを閉位置に固定するためのラッチを有し、前記ドアが、前記ドアの開閉を行うためのヒンジ及び連動ピンをさらに有する、請求項６に記載の再充電可能電池システム。
【請求項１１】
前記複数の電池モジュールの各電池モジュールが、個別に再充電可能である、請求項１に記載の再充電可能電池システム。
【請求項１２】
コントローラエリアネットワーク（ＣＡＮ）をさらに備え、前記ＣＡＮは、前記複数の電池モジュールからの診断情報を受信及びモニタするように構成される、請求項１に記載の再充電可能電池システム。
【請求項１３】
前記電池管理システムが、前記再充電可能電池システムの動作の間、前記診断情報に少なくとも部分的に基づいて、１つ又は複数の電池モジュールを使用可能及び使用不可能にするようにさらに構成される、請求項１２に記載の再充電可能電池システム。
【請求項１４】
前記電池モジュールの各々がピンコネクタを含む、請求項１に記載の再充電可能電池システム。
【請求項１５】
前記ピンコネクタが、前記正極端子及び負極電池端子と比べて、前記電池モジュールの表面から凹設される、請求項１４に記載の再充電可能電池システム。
【請求項１６】
前記リチウムイオン電池セルが、リン酸鉄リチウム（ＬＦＰ）電池セルである、請求項１に記載の再充電可能電池システム。
【請求項１７】
ａ）前記電池モジュールの各々が、５１ポンド未満の重量を有し、
ｂ）前記電池モジュールの各々が、個別に再充電可能であり、
ｃ）前記リチウムイオン電池セルの各々が、前記リチウムイオン電池セルの一方の側のプリント基板（ＰＣＢ）にワイヤ接合を介して相互接続され、
ｄ）熱伝導性接着剤が、前記リチウムイオン電池セルの上面と上部電池トレイとの間、前記上部電池トレイと前記ＰＣＢとの間、及び、電池セルの下面と下部電池トレイとの間に位置し、前記熱伝導性接着剤が非導電性であり、
ｅ）熱伝導性ギャップ充填材が、熱管理の目的で、前記リチウムイオン電池セルからエンクロージャへの熱伝達を可能にするために、前記リチウムイオン電池セルの下面と前記モジュールエンクロージャとの間で熱的に接触し、前記熱伝導性ギャップ充填材が、非導電性であり、
ｆ）前記電池モジュールベイの各々が、垂直配向で前記１つの電池モジュールを受け入れるようにさらに構成され、
ｇ）前記電池モジュールベイの各々が、前記筐体の２つの横方向仕切り及び外側のドアによって定義され、前記ドアが、前記ドアを閉位置に固定するためのラッチを有し、前記ドアが、前記ドアの開閉を行うためのヒンジ及び連動ピンをさらに有し、
ｈ）前記ＣＡＮが、前記複数の電池モジュールからの診断情報を受信及びモニタするように構成され、
ｉ）前記電池モジュールの各々が、ピンコネクタ、正極電池端子及び負極電池端子を含み、前記ピンコネクタが、前記正極電池端子及び負極電池端子と比べて、前記電池モジュールの表面から凹設され、
ｊ）前記リチウムイオン電池セルが、リン酸鉄リチウム（ＬＦＰ）電池セルであり、
ｋ）前記複数のバスバーは、０ボルトバスバー、２４ボルトバスバー及び４８ボルトバスバーを含み
ｌ）各電池モジュールに関して、前記ＢＳＳは、
１）前記電池ジュールの動作態様をモニタし、
２）セル電圧、電流、放電深度及び温度を含む前記電池モジュールのリアルタイム動作情報を取得し、かつ、前記動作情報を既定の基準値のセットと比較して、前記電池モジュールに動作異常があるかどうかを決定し、前記電池モジュールの動作中に１以上の異常が発生した場合、前記ＢＳＳは、前記ＢＯＳＳモジュールからの通信に少なくとも部分的に基づいて、前記少なくとも１つのバスバーから前記電池モジュールを電子的に切断するようにさらに適応されており、前記電子的な切断は、前記電池モジュールに関連付けられた金属酸化物半導体電界効果トランジスタ（ＭＯＳＦＥＴ）によって動作可能に実行される、請求項１に記載の再充電可能電池システム。